(57)【要約】【課題】ファームウェア等のソフトウェアの配信（ダウンロード）を配信時の状況に応じて適切に実行可能な局側装置を提供する。【解決手段】ＰＯＮシステムに適用される局側装置２は、ダウンロード手段２０と、情報管理手段４０とを含む。ダウンロード手段２０は、ＰＯＮシステムに含まれる複数の加入者側装置（ＯＮＵ）へダウンロードするソフトウェア５０を、複数の加入者側装置のそれぞれに対してユニキャスト可能な形式のダウンロード用ＯＡＭフレームに加工する。情報管理手段４０は、複数の加入者側装置の中で増設された加入者側装置を既存の加入者側装置と区別するための情報を管理している。ダウンロード手段２０は、情報管理手段４０が保有する情報を参照して、増設された加入者側装置宛のダウンロード用ＯＡＭフレームを既存の加入者側装置宛のダウンロード用ＯＡＭフレームよりも優先的に出力する。【選択図】図３
2012195635.tif 000002
【特許請求の範囲】
【請求項１】
ＰＯＮ（Passive Optical Network）システムに適用される局側装置であって、
前記ＰＯＮシステムに含まれる複数の加入者側装置へダウンロードするソフトウェアを、前記複数の加入者側装置のそれぞれに対してユニキャスト可能な形式のダウンロード用ＯＡＭ（Operation, Administration, and Maintenance）フレームに加工するダウンロード手段と、
前記複数の加入者側装置の中で増設された加入者側装置を既存の加入者側装置と区別するための情報を管理する情報管理手段と
を備え、
前記ダウンロード手段は、前記情報管理手段が保有する情報を参照して、前記増設された加入者側装置宛の前記ダウンロード用ＯＡＭフレームを前記既存の加入者側装置宛の前記ダウンロード用ＯＡＭフレームよりも優先的に出力する、
局側装置。
【請求項２】
請求項１に記載の局側装置であって、
前記ダウンロード手段は、
前記複数の加入者側装置に対応して設けられ、それぞれが、対応する加入者側装置宛の前記ダウンロード用ＯＡＭフレームを生成して出力する複数のダウンロードフレーム生成手段
を含み、
前記複数のダウンロードフレーム生成手段のそれぞれは、
自身が前記増設された加入者側装置に対応しないことおよび前記増設された加入者側装置宛の前記ダウンロード用ＯＡＭフレームが出力中であることを前記情報管理手段が保有する情報から得た場合、自身の前記ダウンロード用ＯＡＭフレームの出力を中断し、
前記増設された加入者側装置宛の前記ダウンロード用ＯＡＭフレームの出力が終了した後に、自身の前記ダウンロード用ＯＡＭフレームの出力を再開する、
局側装置。
【請求項３】
請求項１または請求項２に記載の局側装置であって、
前記ソフトウェアのダウンロード以外の他の目的に用いられる他目的用ＯＡＭフレームを生成する少なくとも１つのＯＡＭ利用手段と、
前記他目的用ＯＡＭフレームおよび前記ダウンロード用ＯＡＭフレームを多重化して出力するＯＡＭ多重化手段と、
前記ＯＡＭ多重化手段によって多重化されたフレームを蓄積するＯＡＭキューと、
前記ＯＡＭキューのフレーム蓄積量が所定のＯＡＭキューしきい値を超えた場合に、前記他目的用ＯＡＭフレームが前記ＯＡＭキューへ入力されるのを抑制するための制御を行うＯＡＭキュー監視手段と
をさらに備える局側装置。
【請求項４】
請求項３に記載の局側装置であって、
前記ＯＡＭキュー監視手段は、前記ＯＡＭキューのフレーム蓄積量が前記所定のＯＡＭキューしきい値を超えた場合に、前記既存の加入者側装置宛の前記ダウンロード用ＯＡＭフレームが前記ＯＡＭキューへ入力されるのを抑制するための制御をさらに行う、局側装置。
【請求項５】
請求項２に記載の局側装置であって、
前記ソフトウェアのダウンロード以外の他の目的に用いられる他目的用ＯＡＭフレームを生成する少なくとも１つのＯＡＭ利用手段と、
前記他目的用ＯＡＭフレームおよび前記ダウンロード用ＯＡＭフレームを多重化して出力するＯＡＭ多重化手段と、
前記ＯＡＭ多重化手段によって多重化されたフレームを蓄積するＯＡＭキューと
をさらに備え、
前記ダウンロード手段は、
前記複数のダウンロードフレーム生成手段に対応して設けられ、それぞれが、対応するダウンロードフレーム生成手段から出力される前記ダウンロード用ＯＡＭフレームを蓄積するとともに蓄積した前記ダウンロード用ＯＡＭフレームを前記ＯＡＭ多重化手段へ出力する、複数のダウンロードキュー
をさらに含み、
当該局側装置は、
前記複数のダウンロードキューのうちで前記増設された加入者側装置に対応するダウンロードキューのフレーム蓄積量が所定のダウンロードキューしきい値を超えた場合に、前記他目的用ＯＡＭフレームが前記ＯＡＭキューへ入力されるのを抑制する制御を行うダウンロードキュー監視手段
をさらに備える局側装置。
【請求項６】
請求項３または請求項４に記載の局側装置であって、
前記ダウンロード手段は、
前記複数のダウンロードフレーム生成手段に対応して設けられ、それぞれが、対応するダウンロードフレーム生成手段から出力される前記ダウンロード用ＯＡＭフレームを蓄積するとともに蓄積した前記ダウンロード用ＯＡＭフレームを前記ＯＡＭ多重化手段へ出力する、複数のダウンロードキュー
をさらに含み、
当該局側装置は、
前記複数のダウンロードキューのうちで前記増設された加入者側装置に対応するダウンロードキューのフレーム蓄積量が所定のダウンロードキューしきい値を超えた場合に、前記他目的用ＯＡＭフレームが前記ＯＡＭキューへ入力されるのを抑制する制御を行うダウンロードキュー監視手段
をさらに備える局側装置。
【請求項７】
請求項５または請求項６に記載の局側装置であって、
前記ダウンロードキュー監視手段は、前記増設された加入者側装置に対応する前記ダウンロードキューのフレーム蓄積量が前記所定のダウンロードキューしきい値を超えた場合に、前記既存の加入者側装置宛の前記ダウンロード用ＯＡＭフレームが前記ＯＡＭキューへ入力されるのを抑制するための制御をさらに行う、局側装置。
【請求項８】
請求項３ないし請求項７のうちのいずれか１項に記載の局側装置であって、
前記他目的用ＯＡＭフレームが前記ＯＡＭキューへ入力されるのを抑制するための前記制御は、
前記他目的用ＯＡＭフレームが前記少なくとも１つのＯＡＭ利用手段から出力されるのを中断させる制御と、
前記他目的用ＯＡＭフレームが前記ＯＡＭ多重化手段から出力されるのを中断させる制御と、
のうちの少なくとも一方の制御を含む局側装置。
【請求項９】
請求項４と請求項７と請求項８とのうちのいずれか１項に記載の局側装置であって、
前記既存の加入者側装置宛の前記ダウンロード用ＯＡＭフレームが前記ＯＡＭキューへ入力されるのを抑制するための前記制御は、
前記既存の加入者側装置宛の前記ダウンロード用ＯＡＭフレームが前記ダウンロード手段から出力されるのを中断させる制御と、
前記既存の加入者側装置宛の前記ダウンロード用ＯＡＭフレームが前記ＯＡＭ多重化手段から出力されるのを中断させる制御と、
のうちの少なくとも一方の制御を含む局側装置。
【請求項１０】
ＰＯＮ（Passive Optical Network）システムに適用される局側装置であって、
前記ＰＯＮシステムに含まれる複数の加入者側装置へダウンロードするソフトウェアを、前記複数の加入者側装置のそれぞれに対してユニキャスト可能な形式のダウンロード用ＯＡＭ（Operation, Administration, and Maintenance）フレームに加工するダウンロード手段と、
前記ソフトウェアのダウンロード以外の他の目的に用いられる他目的用ＯＡＭフレームを生成する少なくとも１つのＯＡＭ利用手段と、
前記他目的用ＯＡＭフレームおよび前記ダウンロード用ＯＡＭフレームを多重化して出力するＯＡＭ多重化手段と、
前記ＯＡＭ多重化手段によって多重化されたフレームを蓄積するＯＡＭキューと、
前記ＯＡＭキューのフレーム蓄積量が所定のＯＡＭキューしきい値を超えた場合に、前記他目的用ＯＡＭフレームが前記ＯＡＭキューへ入力されるのを抑制するための制御を行うＯＡＭキュー監視手段と
を備える局側装置。
【請求項１１】
ＰＯＮ（Passive Optical Network）システムに適用される局側装置であって、
前記ＰＯＮシステムに含まれる複数の加入者側装置へダウンロードするソフトウェアを、前記複数の加入者側装置のそれぞれに対してユニキャスト可能な形式のダウンロード用ＯＡＭ（Operation, Administration, and Maintenance）フレームに加工するダウンロード手段と、
前記ソフトウェアのダウンロード以外の他の目的に用いられる他目的用ＯＡＭフレームを生成する少なくとも１つのＯＡＭ利用手段と、
前記他目的用ＯＡＭフレームおよび前記ダウンロード用ＯＡＭフレームを多重化して出力するＯＡＭ多重化手段と、
前記ＯＡＭ多重化手段によって多重化されたフレームを蓄積するＯＡＭキューと
を備え、
前記ダウンロード手段は、
前記複数の加入者側装置に対応して設けられ、それぞれが、対応する加入者側装置宛の前記ダウンロード用ＯＡＭフレームを生成して出力する複数のダウンロードフレーム生成手段と、
前記複数のダウンロードフレーム生成手段に対応して設けられ、それぞれが、対応するダウンロードフレーム生成手段から出力される前記ダウンロード用ＯＡＭフレームを蓄積するとともに蓄積した前記ダウンロード用ＯＡＭフレームを前記ＯＡＭ多重化手段へ出力する、複数のダウンロードキューと
を含み、
当該局側装置は、
前記複数のダウンロードキューのうちの少なくとも１つのダウンロードキューのフレーム蓄積量が所定のダウンロードキューしきい値を超えた場合に、前記他目的用ＯＡＭフレームが前記ＯＡＭキューへ入力されるのを抑制する制御を行うダウンロードキュー監視手段
をさらに備える局側装置。
【発明の詳細な説明】
【技術分野】
【０００１】
本発明は、ＰＯＮ（Passive Optical Network）システムに適用される局側装置に関する。
【背景技術】
【０００２】
一般に、ＰＯＮシステムでは、局側装置が光ファイバを介して光スプリッタに接続され、当該光スプリッタに複数の光ファイバが接続され、当該複数の光ファイバに複数の加入者側装置がそれぞれ接続される。
【０００３】
局側装置は、ＰＯＮシステムにおける親局装置にあたり、例えば電話局等に設置される。局側装置はＯＬＴ（Optical Line Terminal）とも称される。また、加入者側装置は、ＰＯＮシステムにおける子局装置にあたり、例えば加入者宅等に設置される。加入者側装置は宅側装置またはＯＮＵ（Optical Network Unit）とも称される。
【０００４】
下記特許文献１には、複数の加入者側装置に共通のダウンロードデータを局側装置がブロードキャストするＰＯＮシステムが記載されている。
【先行技術文献】
【特許文献】
【０００５】
【特許文献１】特開２０１０−２５２１７６号公報
【発明の概要】
【発明が解決しようとする課題】
【０００６】
ところで、機能アップや不具合改修等のために、加入者側装置に搭載されているファームウェアを更新する場合がある。そのような場合、特許文献１のＰＯＮシステムでは、更新用のデータがブロードキャストによって配信される。
【０００７】
しかし、ブロードキャストは、例えばデータ配信中に加入者側装置が増設されるような状況に不向きである。
【０００８】
より具体的には、増設後に最新のファームウェアへの更新が必要になる場合であっても、更新データの配信が既に開始していれば、増設された加入者側装置は次回の配信を待たなければならない。このような場合、増設作業を完了するまでの時間が長くなってしまい、作業効率が低い。
【０００９】
ここで、例えば、既に開始されているデータ配信と並行して、増設された加入者側装置のためにブロードキャスト配信を行うことが考えられる。しかし、複数のブロードキャストが同時進行することになり、全ての加入者側装置が更新用データを取得し終えるまでに長時間を費やすことになる。場合によっては、ユニキャスト配信よりも時間がかかるかもしれない。
【００１０】
また、特許文献１のＰＯＮシステムでは局側装置と加入者側装置の両方が、特許文献１に紹介される構成を採用する必要がある。このため、システム導入が大がかりになってしまう。また、既存の加入者側装置をそのまま使うことができなくなるので、加入者側装置の構成変更や新規導入等の対処が必要になる。そのような対処は、既存の加入者側装置の継続的利用または再利用、さらにはそれによるＰＯＮシステムの利用促進という観点からすれば、必ずしも好ましいとは言えない。
【００１１】
また、ファームウェアの更新は速やかに行われるのが好ましいが、ＰＯＮシステム内の通信が輻輳した場合には、更新ファームウェアの配信自体が遅れてしまう。更新ファームウェアが遅滞なく配信されることは、加入者側装置の増設時であるか否かに関係なく、要望されるものであるが、特に増設時においては、最新ファームウェアへの更新を早期に完了させ、サービスを開通させる必要性がある。
【００１２】
本発明は、ファームウェア等のソフトウェアの配信（ダウンロード）を配信時の状況に応じて適切に実行可能な局側装置を提供することを目的とする。
【課題を解決するための手段】
【００１３】
本発明の一態様に係る、ＰＯＮ（Passive Optical Network）システムに適用される局側装置は、前記ＰＯＮシステムに含まれる複数の加入者側装置へダウンロードするソフトウェアを、前記複数の加入者側装置のそれぞれに対してユニキャスト可能な形式のダウンロード用ＯＡＭ（Operation, Administration, and Maintenance）フレームに加工するダウンロード手段と、前記複数の加入者側装置の中で増設された加入者側装置を既存の加入者側装置と区別するための情報を管理する情報管理手段とを備え、前記ダウンロード手段は、前記情報管理手段が保有する情報を参照して、前記増設された加入者側装置宛の前記ダウンロード用ＯＡＭフレームを前記既存の加入者側装置宛の前記ダウンロード用ＯＡＭフレームよりも優先的に出力する。
【発明の効果】
【００１４】
上記の一態様によれば、増設された加入者側装置宛のダウンロード用ＯＡＭフレームが、既存の加入者側装置宛のダウンロード用ＯＡＭフレームよりも優先的に出力される。したがって、増設された加入者側装置においてソフトウェアの更新等を速やかに行うことが可能になる。また、例えば既存の加入者側装置に対するダウンロード（配信）が開始した後であっても、増設された加入者側装置に対するダウンロードが優先される。このため、加入者側装置の増設作業を完了させるまでの時間を短縮化することができる。つまり、作業効率を向上させることができる。また、加入者側装置の構成変更や新規導入等の対処が不要なので、既存の加入者側装置の継続的利用または再利用を促進し、さらにはそれによるＰＯＮシステムの利用を促進することができる。
【００１５】
本発明の目的、特徴、局面、および利点は、以下の詳細な説明と添付図面とによって、より明白となる。
【図面の簡単な説明】
【００１６】
【図１】実施の形態１についてＰＯＮシステムの構成概略図である。
【図２】実施の形態１についてユニキャスト通信を概説する模式図である。
【図３】実施の形態１についてＯＬＴの構成を例示するブロック図である。
【図４】実施の形態１について管理テーブルの内容を例示する模式図である。
【図５】実施の形態１についてＯＬＴのダウンロード動作を例示するフローチャートである。
【図６】実施の形態１についてＯＡＭキューの状態を例示する模式図である。
【図７】実施の形態２についてＯＬＴの構成を例示するブロック図である。
【図８】実施の形態２についてＯＬＴの構成を例示するブロック図である。
【図９】実施の形態２の変形例についてＯＬＴの構成を例示するブロック図である。
【図１０】実施の形態２の変形例についてＯＬＴの構成を例示するブロック図である。
【図１１】実施の形態３についてＯＬＴの構成を例示するブロック図である。
【図１２】実施の形態３についてＯＬＴの構成を例示するブロック図である。
【図１３】実施の形態３の変形例についてＯＬＴの構成を例示するブロック図である。
【図１４】実施の形態３の変形例についてＯＬＴの構成を例示するブロック図である。
【発明を実施するための形態】
【００１７】
＜実施の形態１＞
＜ＰＯＮシステムの概要＞
図１に、実施の形態１に係るＰＯＮシステム１の構成概略図を例示する。ＰＯＮシステム１は、図１の例では、１台の局側装置（以下、ＯＬＴとも称する）２と、複数台の加入者側装置（以下、ＯＮＵとも称する）３と、光スプリッタ４と、光ファイバ５，６とを含んでいる。図１には、説明のため、上位ネットワーク７と端末装置８とを併記している。なお、各種要素の数は図１の例に限定されるものではない。
【００１８】
ＯＬＴ２は、上位ネットワーク７（例えばインターネット等）に接続されているとともに、光ファイバ５を介して光スプリッタ４に接続されている。光スプリッタ４は、複数の光ファイバ６と接続されており、光ファイバ５，６間を伝送する光信号の分岐および結合を行う光受動素子である。光ファイバ６のそれぞれにＯＮＵ３が接続されている。図１の例では、ＯＮＵ３のそれぞれに端末装置８が接続されている。端末装置８は通信機能を有した装置、例えば通信機器やパーソナルコンピュータ（ＰＣ）等である。
【００１９】
すなわち、ＯＬＴ２と複数のＯＮＵ３とが、光スプリッタ４および光ファイバ５，６を介して光通信可能に接続されている。
【００２０】
ＯＬＴ２は、ＯＮＵ３から到来する光信号を上位ネットワーク７へ転送し、逆に上位ネットワーク７から到来する信号をＯＮＵ３へ転送する。なお、ＯＬＴ２は、上位ネットワーク７の構成に応じて、光信号と電気信号との間の変換を行う。ＯＬＴ２は、各ＯＮＵ３、さらにはＰＯＮシステム１全体の制御や監視等を行う。
【００２１】
ＯＮＵ３は、ＯＬＴ２から到来した光信号を電気信号へ変換して端末装置８へ出力し、逆に端末装置８から到来した電気信号を光信号へ変換してＯＬＴ２へ向けて出力する。
【００２２】
なお、ＯＬＴ２が上位ネットワーク７と無線通信を行う構成を採用してもよいし、同様にＯＮＵ３が端末装置８と無線通信を行う構成を採用してもよい。これらの場合、無線信号の一例である電波信号は実質的に電気信号に含めることが可能である。
【００２３】
＜ユニキャスト通信＞
図２に、ＰＯＮシステム１におけるユニキャスト通信を概説する模式図を示す。なお、図２ではｎ台のＯＮＵ３が例示され、これらのＯＮＵ３を区別する場合にはＯＮＵ＃１、ＯＮＵ＃２、…、ＯＮＵ＃ｎと称することにする。
【００２４】
ＰＯＮシステム１の構成上、ＯＬＴ２から送信された光信号は、全てのＯＮＵ３へ伝送される。ユニキャスト通信では、各ＯＮＵ３に識別子であるＬＬＩＤ（Logical Link Identifier）が予め割り当てられており、当該ＬＬＩＤによって送信相手が指定される。
【００２５】
具体的には、ＯＬＴ２は送信先のＯＮＵ３のＬＬＩＤを送信するフレーム（パケットと称される場合もある）１０に付与し、ＯＮＵ３は、受信したフレーム１０のＬＬＩＤから、その受信フレーム１０が自身宛であるか否かを判断する。ＯＮＵ３は、受信フレーム１０が自身宛である場合、その受信フレーム１０に対して、端末装置８への転送、ＯＮＵ３内での利用等の処理を行う一方、受信フレーム１０が自身宛でない場合、その受信フレーム１０を破棄する。
【００２６】
ＰＯＮシステム１では、ＯＮＵ３のファームウェアの配信（換言すればダウンロード）を、ＯＬＴ２からＯＮＵ３へのユニキャスト通信によって行う。なお、ＯＮＵ３のファームウェアの配信を例示するが、例えばＯＮＵ３が利用するアプリケーションプログラムも同様に配信可能である。すなわち、以下に例示する技術は広くソフトウェア（ファームウェア、アプリケーションプログラム等を含む）の配信に適用可能である。
【００２７】
特に、ＰＯＮシステム１では、ＯＡＭ（Operation, Administration, and Maintenance）フレームによって、ファームウェアを配信する。
【００２８】
ＯＡＭは、ＩＥＥＥ（Institute of Electrical and Electronics Engineers）８０２．３ａｈで規定されているＰＯＮシステムの制御用信号であり、ＰＯＮシステム内の装置や回線の保守監視制御に利用される。ＯＡＭは一般には、障害通知、ループバック試験、リンク監視等に利用可能である。
【００２９】
一般に、ＰＯＮシステムは、端末装置（端末装置８を参照）がインターネット（上位ネットワーク７を参照）を利用する際の信号等の主通信信号を伝送することを本来的な機能として有している。このため、ＯＡＭは、主通信信号の帯域に影響を与えないように規定されている。また、ＯＡＭによる通信は主通信信号に比べて低速な通信として規定されている。
【００３０】
＜ＯＬＴの構成例＞
図３に、ＯＬＴ２のブロック図を例示する。図３の例によれば、ＯＬＴ２は、ダウンロード手段２０と、ＯＡＭキュー３０と、管理テーブル４０とを含んでいる。なお、図３では「ダウンロード手段」という名称を簡略に表記しており、表記の簡略化は他の図面および他の要素についても用いる場合がある。
【００３１】
図３には、説明のために、ダウンロード対象のファームウェア５０を併記している。ファームウェア５０は、ここでは、ＯＮＵ３（図１参照）の機能アップや不具合改修等のための更新用のファームウェアとする。ファームウェア５０は、例えば、上位ネットワーク７（図１参照）や、ＯＬＴ２に外部接続される記憶装置等から、ＯＬＴ２へ供給される、もしくは、ＯＬＴ２自身に記憶されている。
【００３２】
ダウンロード手段２０は、ＰＯＮシステム１に含まれる複数のＯＮＵ３（ここではｎ＋１台のＯＮＵ３とする）へダウンロードするファームウェア５０を、各ＯＮＵ３に対してユニキャスト可能な形式のＯＡＭフレーム（ダウンロード用ＯＡＭフレームとも称することにする）に加工する。生成されたＯＡＭフレームはＯＡＭキュー３０へ出力される。
【００３３】
より具体的には、ダウンロード手段２０は、ファームウェア５０をＯＡＭ転送に適したデータサイズのブロックに分割し、各ブロックを各ＯＮＵ３宛のＯＡＭフレームに加工する。ＯＬＴ２は当該ダウンロード用ＯＡＭフレームを各ＯＮＵ３へユニキャストするので、各ダウンロード用ＯＡＭフレームには送信先のＯＮＵ３のＬＬＩＤが付けられる。
【００３４】
ダウンロード手段２０は、図３の例では、ｎ＋１個のダウンロードフレーム生成手段２１と、ダウンロード多重化手段２２とを含んでいる。
【００３５】
ｎ＋１個のダウンロードフレーム生成手段２１はｎ＋１台のＯＮＵ３に対応して設けられており、各ダウンロードフレーム生成手段２１は、対応するＯＮＵ３宛のダウンロード用ＯＡＭフレームを生成する。例えばＯＮＵ＃１用のダウンロードフレーム生成手段２１は、ファームウェア５０を上記ブロックに分割し、各ブロックにＯＮＵ＃１のＬＬＩＤを付けてＯＮＵ＃１宛のＯＡＭフレームを生成する。生成されたダウンロード用ＯＡＭフレームはダウンロード多重化手段２２へ出力される。
【００３６】
なお、ファームウェア５０をブロックに分割する処理は、各ダウンロードフレーム生成手段２１がそれぞれ行ってもよいし、あるいはｎ＋１個のダウンロードフレーム生成手段２１とは別個の手段が行ってもよい。
【００３７】
ダウンロード多重化手段２２は、各ダウンロードフレーム生成手段２１によって生成されたダウンロード用ＯＡＭフレームを多重化して出力する。多重化されたフレームはＯＡＭキュー３０へ出力される。
【００３８】
より具体的には、ダウンロード多重化手段２２は、ｎ＋１個のダウンロードフレーム生成手段２１から並列に入力されるダウンロード用ＯＡＭフレームを、所定の多重化規則に従って順番に（換言すれば直列に）出力する。ダウンロード多重化手段２２は複数の入力フレームのうちから１つのフレームを選択的に出力するセレクタと解することができ、当該セレクタが所定の選択規則に従って連続的に出力を行うことによってフレームの多重化が実現される。
【００３９】
ここで、上記の多重化規則（換言すれば上記の選択規則）として、例えばＯＮＵ＃１、…、ＯＮＵ＃ｎ、ＯＮＵ＃ｎ＋１の順序で出力することによって多重化するという規則が挙げられる（第１例）。これによれば、各ＯＮＵ３宛の出力が均等になる。
【００４０】
あるいは、多重化手段２２へ入力された順番でフレームを出力することによって多重化するという規則を採用することも可能である（第２例）。なお、第２例の規則であっても、多重化手段２２への入力機会が均等であれば、各ＯＮＵ３宛の出力が均等になる（出力順序が第１例の規則と異なるだけである）。
【００４１】
あるいは、多重化規則を実行するのに必要な情報を、ダウンロード多重化手段２２の外部から与えることも可能である（第３例）。
【００４２】
実施の形態１では、上記第２例の多重化規則が採用されているものとする。
【００４３】
ＯＡＭキュー３０は、ダウンロード多重化手段２２から出力されるダウンロード用ＯＡＭフレームを蓄積するとともに、蓄積したダウンロード用ＯＡＭフレームを出力する。この際、ＯＡＭキュー３０はＦＩＦＯ（First In First Out）によって動作する。ＯＡＭキュー３０から出力されたフレームは、その他の所定処理（例えば光信号への変換等）を経てＯＬＴ２から送信される。
【００４４】
管理テーブル４０は、ＯＬＴ２に接続されているＯＮＵ３に関する情報が記録されたデータベースであり、不図示の記憶手段（例えば半導体メモリ）に格納されている。管理テーブル４０の作成、更新等は例えばＰＯＮシステム１の運営者によって行われる。
【００４５】
図４に、管理テーブル４０の内容を例示する。図４に例示の管理テーブル４０には、ＯＮＵ３毎に、ＬＬＩＤと、ＯＮＵ番号と、ＭＡＣアドレスと、ダウンロード（ＤＬ）状況と、増設フラグ（後述する）という各情報が記録されている。例えばＬＬＩＤ＝１のＯＮＵ＃１について、ＭＡＣアドレスがＡＡ：ＢＢ：…：ＦＦであるという情報と、現在ブロック（ＢＬ）＃２のダウンロード中であるという情報と、増設フラグがＯＦＦであるという情報とが記録されている。
【００４６】
管理テーブル４０に記録されている各情報は相互に関連付けて管理されている。このため、管理テーブル４０を参照することによって、増設フラグがＯＮに設定されているＯＮＵ３を特定することが可能である。より具体的には、増設フラグがＯＮであるという条件を検索キーとして管理テーブル４０内の情報を検索することによって、検索キーに対応した（換言すれば該当した）ＯＮＵ３のＬＬＩＤ等の情報を抽出することが可能である。
【００４７】
ここで、増設フラグは、そのＯＮＵ３が新たに増設された装置であるのか、既存の装置であるかの情報を示す。具体的には、増設されたＯＮＵ３（ここではＯＮＵ＃ｎ＋１）については増設フラグがＯＮに設定され、既存のＯＮＵ３については増設フラグがＯＦＦに設定されている。一般にＰＯＮシステム１の利用申し込みの後にＯＮＵ３の増設作業が行われるので、その増設作業前にＰＯＮシステム１の運営者が増設対象のＯＮＵ３（ＯＮＵ＃ｎ＋１）に関する各種情報を管理テーブル４０に記録し、その際に増設フラグがＯＮに設定される。
【００４８】
つまり、管理テーブル４０は、ｎ＋１台のＯＮＵ３の中で増設ＯＮＵ＃ｎ＋１を既存ＯＮＵ＃１〜ＯＮＵ＃ｎと区別するための情報等を管理する情報管理手段にあたる。
【００４９】
なお、ダウンロード手段２０等の各種要素は、マイクロプロセッサを機能させるプログラム、または、ハードウェア（デジタル回路、アナログ回路、各種装置等）、または、それらの組み合わせによって実現可能である。
【００５０】
＜ＯＬＴの動作例＞
図５に、更新ファームウェア５０のダウンロード動作ＳＴ１０のフローチャートを例示する。ダウンロード動作ＳＴ１０は、ダウンロードフレーム生成手段２１（図３参照）のそれぞれにおいて実行される。この際、例えばｎ＋１個のダウンロードフレーム生成手段２１が互いに並列に自身のダウンロード動作ＳＴ１０を実行してもよいし、あるいは、例えばｎ＋１個のダウンロードフレーム生成手段２１が時分割で順番に自身のダウンロード動作ＳＴ１０を実行してもよい。
【００５１】
また、ダウンロード動作ＳＴ１０は、ダウンロード相手のＯＮＵ３がＰＯＮシステム１において通信可能な状態にある場合に実行される。通信可能な状態にあるか否かは例えばＯＡＭ機能によって確認可能である。図５に例示のダウンロード動作ＳＴ１０はステップＳＴ１１〜ＳＴ１６を含んでいる。
【００５２】
ステップＳＴ１１では、ダウンロードフレーム生成手段２１は、ファームウェア５０の上記分割ブロック（ＢＬ）を区別するためのカウント値ｉを、初期値（ここでは１）に設定する。ブロックの分割数をｍ個とすると、１≦ｉ≦ｍである。
【００５３】
ステップＳＴ１２は、ステップＳＴ１１の後に実行される。ステップＳＴ１２では、ダウンロードフレーム生成手段２１は、管理テーブル４０を参照して、自身がダウンロードを担当するＯＮＵ３（以下、対象ＯＮＵ３と称する場合もある）の増設フラグの状態を判別する。ダウンロードフレーム生成手段２１は、判別の結果、対象ＯＮＵ３の増設フラグがＯＮの場合は次にステップＳＴ１３を実行し、対象ＯＮＵ３の増設フラグがＯＦＦの場合は次にステップＳＴ１６を実行する。
【００５４】
ステップＳＴ１３では、ダウンロードフレーム生成手段２１は、ｉ番目の分割ブロック（ＢＬ＃ｉ）をダウンロードするためのＯＡＭフレームを生成し出力する。生成されたフレームはダウンロード多重化手段２２へ入力される（図３参照）。
【００５５】
ステップＳＴ１４は、ステップＳＴ１３の後に実行される。ステップＳＴ１４では、ダウンロードフレーム生成手段２１は、全てのブロックの出力を完了したか否か、具体的にはカウント値ｉがブロック分割数ｍに達したか否かを判別する。ダウンロードフレーム生成手段２１は、判別の結果、全ブロックの出力が完了した場合はダウンロード動作ＳＴ１０を終了し、全ブロックの出力が完了していない場合は次にステップＳＴ１５を実行する。
【００５６】
なお、増設対象のＯＮＵ＃ｎ＋１用のダウンロードフレーム生成手段２１は、ステップＳＴ１４の後、あるいは、ダウンロード動作ＳＴ１０の終了後、管理テーブル４０のＯＮＵ＃ｎ＋１の増設フラグをＯＦＦに変更する。
【００５７】
ステップＳＴ１５では、ダウンロードフレーム生成手段２１はカウント値ｉをインクリメントする（ｉ＝ｉ＋１）。ステップＳＴ１５の後、ダウンロードフレーム生成手段２１の処理は上記ステップＳＴ１２へ移行する。
【００５８】
上記のようにステップＳＴ１２において対象ＯＮＵ３の増設フラグがＯＦＦの場合はステップＳＴ１６が実行される。ステップＳＴ１６では、ダウンロードフレーム生成手段２１は、管理テーブル４０を参照して、自身がダウンロードを担当しないＯＮＵ３（以下、対象外ＯＮＵ３と称する場合もある）の増設フラグの状態およびダウンロード状況を判別する。
【００５９】
そして、判別の結果、増設フラグがＯＮに設定された対象外ＯＮＵ３が存在し、かつ、その対象外ＯＮＵ３がダウンロード中（すなわちダウンロード動作ＳＴ１０を実行中）である場合、ダウンロードフレーム生成手段２１の処理は上記ステップＳＴ１２へ移行する。
【００６０】
他方、増設フラグがＯＮの対象外ＯＮＵ３が存在しない場合、または、増設フラグがＯＮの対象外ＯＮＵ３が存在するがその対象外ＯＮＵ３はダウンロード中ではない（例えばダウンロード開始前の状態にある）場合、ダウンロードフレーム生成手段２１の処理は上記ステップＳＴ１３へ移行する。
【００６１】
ダウンロード動作ＳＴ１０によれば、増設ＯＮＵ＃ｎ＋１用のダウンロードフレーム生成手段２１は、ステップＳＴ１２〜ＳＴ１５のループを実行してダウンロード用ＯＡＭフレームを順次、出力する。
【００６２】
これに対し、既存ＯＮＵ＃１〜ＯＮＵ＃ｎ用のダウンロードフレーム生成手段２１は、増設ＯＮＵ＃ｎ＋１用のダウンロードフレーム生成手段２１がダウンロード動作ＳＴ１０を実行していない場合は、ステップＳＴ１２，ＳＴ１６，ＳＴ１３〜ＳＴ１５のループを実行してダウンロード用ＯＡＭフレームを順次、出力する。
【００６３】
しかし、増設ＯＮＵ＃ｎ＋１用のダウンロードフレーム生成手段２１がダウンロード動作ＳＴ１０を実行中である場合、既存ＯＮＵ＃１〜ＯＮＵ＃ｎ用のダウンロードフレーム生成手段２１はステップＳＴ１２，ＳＴ１６のループを実行することになる。その結果、既存ＯＮＵ＃１〜ＯＮＵ＃ｎ用のダウンロードフレーム生成手段２１は、ダウンロード用ＯＡＭフレームを生成せず、したがってダウンロード用ＯＡＭフレームが出力されない。つまり、ダウンロード用ＯＡＭフレームの生成および出力が中断される。
【００６４】
なお、増設ＯＮＵ＃ｎ＋１用のダウンロードフレーム生成手段２１がダウンロード動作ＳＴ１０を終了すれば（管理テーブル４０から知ることが可能である）、既存ＯＮＵ＃１〜ＯＮＵ＃ｎ用のダウンロードフレーム生成手段２１はダウンロード用ＯＡＭフレームの生成および出力を再開する。
【００６５】
これにより、ダウンロード手段２０は、増設ＯＮＵ＃ｎ＋１のダウンロード用ＯＡＭフレームを既存ＯＮＵ＃１〜＃ｎのダウンロード用ＯＡＭフレームよりも優先的に出力することができる。
【００６６】
ここで、図６に、ＯＡＭキュー３０の状態を例示する。図６の例では、既存ＯＮＵ＃１〜ＯＮＵ＃ｎ宛のブロック＃１（カウント値ｉ＝１のブロック）のダウンロードＯＡＭフレームが順次ＯＡＭキュー３０へ入力され、さらに既存ＯＮＵ＃１〜ＯＮＵ＃ｎ宛のブロック＃２のダウンロードＯＡＭフレームが順次ＯＡＭキュー３０へ入力された後に、既存ＯＮＵ＃１〜ＯＮＵ＃ｎ宛のダウンロードＯＡＭフレームが中断している。そして、増設ＯＮＵ＃ｎ＋１宛のブロック＃１〜＃ｍのダウンロードＯＡＭフレームが優先的に（換言すれば集中的に）ＯＡＭキュー３０へ入力されている。増設ＯＮＵ＃ｎ＋１宛の全てのＯＡＭフレームが入力された後、既存ＯＮＵ＃１〜ＯＮＵ＃ｎ宛のＯＡＭフレームの入力が再開されている。
【００６７】
＜効果＞
局側装置２によれば、増設ＯＮＵ３宛のダウンロード用ＯＡＭフレームが、既存ＯＮＵ３宛のダウンロード用ＯＡＭフレームよりも優先的に出力される。したがって、増設ＯＮＵ３においてファームウェアの更新等を速やかに行うことが可能になる。
【００６８】
また、例えば既存ＯＮＵ３に対するダウンロードが開始した後であっても、増設ＯＮＵ３に対するダウンロードが優先される。このため、ＯＮＵ３の増設作業を完了させるまでの時間を短縮化することができる。つまり、作業効率を向上させることができる。
【００６９】
また、ＯＬＴ２によれば、ＯＮＵ３の構成変更や新規導入等の対処が不要なので、既存ＯＮＵの継続的利用または再利用を促進し、さらにはそれによるＰＯＮシステム１の利用を促進することができる。
【００７０】
＜実施の形態１の変形例＞
上記では既存ＯＮＵ３のダウンロード用ＯＡＭフレームの生成および出力を中断する場合を例示した。これに対し、ダウンロード用ＯＡＭフレームの生成は続行するが、生成したフレームを一時的に蓄積しておき、その出力を中断する構成を、ダウンロードフレーム生成手段２１に採用することも可能である。
【００７１】
また、上記では、ダウンロードフレーム生成手段２１からの出力を中断することによって、ダウンロード手段２０からの出力を中断させる場合を例示した。これに対し、ダウンロード多重化手段２２の動作によって、ダウンロード手段２０からの出力を中断させることも可能である。
【００７２】
具体的には、ダウンロードフレーム生成手段２１はダウンロード用ＯＡＭフレームの生成および出力を継続的に行い、ダウンロード多重化手段２２が管理テーブル４０を参照して増設ＯＮＵ３宛のダウンロード用ＯＡＭフレームを優先的に出力させる。この場合、ダウンロード多重化手段２２は、既存ＯＮＵ３宛のフレームの出力を中断するとともに増設ＯＮＵ３宛のフレームを出力させるという多重化規則を、管理テーブル４０に記録された情報に基づいて実行する（既述した多重化の第３例を参照）。
【００７３】
これらの変形例によっても上記の各種効果を得ることができる。
【００７４】
＜実施の形態２＞
上記のようにＯＡＭはＰＯＮシステム内の装置や回線の保守監視制御に利用され、実施の形態１で説明したファームウェア５０のダウンロード以外の他の目的（例えば、障害通知、ループバック試験、リンク監視等）にも利用される。実施の形態２では、例えばＯＡＭの利用が輻輳した場合であっても、ファームウェア５０のダウンロードを優先的に実行可能な構成を例示する。
【００７５】
図７に、実施の形態２に係るＯＬＴ２Ｂのブロック図を例示する。図７の例によれば、ＯＬＴ２Ｂは、上記ＯＬＴ２（図３参照）の構成に加え、ＯＡＭ利用手段６１，６２と、ＯＡＭ多重化手段７０と、ＯＡＭキュー監視手段８０とを含んでいる。
【００７６】
ＯＡＭ利用手段６１，６２は、ファームウェア５０のダウンロード以外の他の目的でＯＡＭを利用する手段であり、その他目的に応じたＯＡＭフレーム（以下、他目的用ＯＡＭフレームとも称する）を生成する。生成された他目的用ＯＡＭフレームはＯＡＭ多重化手段７０へ出力される。
【００７７】
なお、ＯＡＭ利用手段６１，６２は例えば、ダウンロード手段２０と同様に、各ＯＮＵ３用のフレーム生成手段と、多重化手段とを含んで構成される。また、他目的用ＯＡＭフレームは、ユニキャスト用であってもよいし、ブロードキャスト用であってもよい。また、ＯＡＭ利用手段の数は、ここでの例示に限定されるものではない。
【００７８】
ＯＡＭ多重化手段７０は、ＯＡＭ利用手段６１，６２から出力された他目的用ＯＡＭフレームと、ダウンロード手段２０から出力されたダウンロード用ＯＡＭフレームとを入力として取得し、これらのＯＡＭフレームを多重化して出力する。多重化されたフレームはＯＡＭキュー３０へ出力される。
【００７９】
ＯＡＭ多重化手段７０による多重化処理は、基本的には、既述のダウンロード多重化手段２２のそれと同様である。ここでは、ＯＡＭ多重化手段７０は、当該多重化手段７０へ入力された順番でフレームを出力することによって多重化するものとする（既述した多重化の第２例を参照）。
【００８０】
ＯＡＭキュー監視手段８０は、ＯＡＭキュー３０のフレーム蓄積量が所定のしきい値（ＯＡＭキューしきい値）を超えた場合に、他目的用ＯＡＭフレームがＯＡＭキュー３０へ入力されるのを抑制するための制御を行う。
【００８１】
より具体的には、ＯＡＭキュー監視手段８０は、ＯＡＭキュー３０のフレーム蓄積量を監視しており、当該フレーム蓄積量がＯＡＭキューしきい値を超えた場合に、ＯＡＭ利用手段６１，６２へ中断指示Ｓ８０を出して、ＯＡＭ利用手段６１，６２が他目的用ＯＡＭフレームを出力するのを中断させる。
【００８２】
ＯＡＭ利用手段６１，６２が中断指示Ｓ８０に従って他目的用ＯＡＭフレームの出力を中断することにより（フレームの生成を中断してもその出力の中断に繋がる）、他目的用ＯＡＭフレームがＯＡＭキュー３０へ入力されるのが抑制される。
【００８３】
ＯＬＴ２Ｂによれば、ＯＡＭキュー３０のフレーム蓄積量からＯＡＭの利用の輻輳状態を推測することができ、そのような輻輳状態であってもダウンロード用ＯＡＭフレームを優先的に出力することができる。このため、ファームウェア５０の配信遅延を回避することができる。
【００８４】
ここで、図８に例示するＯＬＴ２ＣのようにＯＡＭキュー監視手段８０は、ＯＡＭ利用手段６１，６２だけでなく、ダウンロード手段２０にも中断指示Ｓ８０を出してもよい。この場合、ダウンロード手段２０が（より具体的には既存ＯＮＵ３に対応するダウンロードフレーム生成手段２１が）当該中断指示Ｓ８０に従って既存ＯＮＵ３宛のダウンロード用ＯＡＭフレームの出力を中断することにより、既存ＯＮＵ３宛のダウンロード用ＯＡＭフレームがＯＡＭキュー３０へ入力されるのが抑制される。
【００８５】
ＯＬＴ２Ｃによれば、他目的用ＯＡＭフレームだけでなく、既存ＯＮＵ３宛のダウンロード用ＯＡＭフレームも抑制されるので、特に増設ＯＮＵ３宛のダウンロードを優先させることができる。換言すれば、上記ＯＬＴ２Ｂによれば、増設ＯＮＵであるか否かに関係なく、ダウンロードを他のＯＡＭ利用よりも優先させることができる。
【００８６】
＜実施の形態２の変形例＞
上記ではＯＡＭキュー監視手段８０がＯＡＭ利用手段６１，６２（さらにはダウンロード手段２０）へ直接、中断指示Ｓ８０を出す場合を例示した。これに対し、図９に例示するＯＬＴ２Ｄのように中断指示Ｓ８０を、ＯＡＭ多重化手段７０Ｄを経由させて、ＯＡＭ利用手段６１，６２およびダウンロード手段２０へ出してもよい。なお、ＯＡＭ多重化手段７０Ｄは、上記ＯＡＭ多重化手段７０と同様の多重化機能と、ＯＡＭフレームの出力元（ここではＯＡＭ利用手段６１，６２およびダウンロード手段２０）に対してフレームの出力を停止させる機能とを有している。
【００８７】
また、上記ではＯＡＭ利用手段６１，６２（さらにはダウンロード手段２０）からの出力を中断することによって、ＯＡＭキュー３０への入力を抑制する場合を例示した。これに対し、図１０に例示するＯＬＴ２Ｅのように中断指示Ｓ８０をＯＡＭ多重化手段７０へ与え、ＯＡＭ多重化手段７０の動作によってＯＡＭキュー３０への入力を抑制することも可能である。
【００８８】
具体的には、ダウンロード手段２０およびＯＡＭ利用手段６１，６２はＯＡＭフレームを継続的に出力し、ＯＡＭ多重化手段７０が中断指示Ｓ８０に従って他目的用ＯＡＭフレームの出力と、既存ＯＮＵ３宛のダウンロード用ＯＡＭフレームとの出力を中断する。これにより、増設ＯＮＵ３宛のダウンロード用ＯＡＭフレームが優先的にＯＡＭ多重化手段７０からＯＡＭキュー３０へ出力される。
【００８９】
なお、ＯＡＭ多重化手段７０は、管理テーブル４０を参照することによって、増設ＯＮＵ３宛のダウンロード用ＯＡＭフレームと、既存ＯＮＵ３宛のダウンロード用ＯＡＭフレームとを区別することが可能である（既述した多重化の第３例を参照）。
【００９０】
ここで、ＯＡＭ多重化手段７０を、ダウンロード用ＯＡＭフレームについては増設ＯＮＵ３宛であるか、既存ＯＮＵ３宛であるかを区別せずに、ＯＡＭキュー３０へ出力する構成に変形することも可能である。この場合、例えば、上記ダウンロード手段２０の代わりに、増設ＯＮＵ３宛の優先出力を行わないダウンロード手段を採用することも可能である。
【００９１】
また、ＯＬＴ２Ｂ〜２Ｅにおいて、ダウンロード手段２０からダウンロード多重化手段２２を削除することも可能である。この場合、ダウンロード用ＯＡＭフレームは各ダウンロードフレーム生成手段２１からＯＡＭ多重化手段７０，７０Ｄへ直接、入力される。
【００９２】
また、変形例に係るＯＬＴ２Ｄ，２Ｅを、図７のＯＬＴ２Ｂと同様にダウンロード手段２０には中断指示Ｓ８０を出さない構成に変形することも可能である。
【００９３】
これらの変形例によっても上記の各種効果を得ることができる。
【００９４】
＜実施の形態３＞
実施の形態３では、実施の形態２と同様に、例えばＯＡＭの利用が輻輳した場合であっても、ファームウェア５０のダウンロードを優先的に実行可能な構成を例示する。
【００９５】
図１１に、実施の形態３に係るＯＬＴ２Ｆのブロック図を例示する。図１１の例によれば、ＯＬＴ２Ｆは、上記ＯＬＴ２Ｂ（図７参照）において、ダウンロード手段２０をダウンロード手段２０Ｆに変更するとともに、ＯＡＭキュー監視手段８０をダウンロードキュー監視手段９０に変更した構成を有している。
【００９６】
ダウンロード手段２０Ｆは、上記ダウンロード手段２０（図７参照）に、ｎ＋１個のダウンロードキュー２３を追加した構成を有している。
【００９７】
ｎ＋１個のダウンロードキュー２３はｎ＋１個のダウンロードフレーム生成手段２１に対応して設けられている。各ダウンロードキュー２３は、対応するダウンロードフレーム生成手段２１から出力されるダウンロード用ＯＡＭフレームを蓄積するとともに、蓄積したダウンロード用ＯＡＭフレームをダウンロード多重化手段２２へ出力する。この際、ダウンロードキュー２３はＦＩＦＯによって動作する。
【００９８】
ダウンロードキュー監視手段９０は、ｎ＋１個のダウンロードキュー２３のうちで増設ＯＮＵ（ここではＯＮＵ＃ｎ＋１）に対応するダウンロードキュー２３のフレーム蓄積量が所定のしきい値（ダウンロードキュー用しきい値）を超えた場合に、ＯＡＭ利用手段６１，６２から出力される他目的用ＯＡＭフレームがＯＡＭキュー３０へ入力されるのを抑制するための制御を行う。
【００９９】
より具体的には、ダウンロードキュー監視手段９０は、増設ＯＮＵ＃ｎ＋１用のダウンロードキュー２３のフレーム蓄積量を監視しており、当該フレーム蓄積量がダウンロードキュー用しきい値を超えた場合に、ＯＡＭ利用手段６１，６２へ中断指示Ｓ９０を出して、ＯＡＭ利用手段６１，６２が他目的用ＯＡＭフレームを出力するのを中断させる。
【０１００】
ここで、ダウンロードキュー監視手段９０は、管理テーブル４０を参照することによって増設ＯＮＵ３を判別することが可能であり、これにより増設ＯＮＵ３用のダウンロードキュー２３を判別することが可能である。
【０１０１】
ＯＡＭ利用手段６１，６２が中断指示Ｓ９０に従って他目的用ＯＡＭフレームの出力を中断することにより（フレームの生成を中断してもその出力の中断に繋がる）、他目的用ＯＡＭフレームがＯＡＭキュー３０へ入力されるのが抑制される。
【０１０２】
なお、図１１の例ではダウンロードキュー監視手段９０がダウンロード手段２０Ｆの外部に設けられているが、例えばダウンロード手段２０Ｆの内部にダウンロードキュー監視手段９０を設けることも可能である。すなわち、ＯＬＴ２Ｆがダウンロードキュー監視手段９０を有していれば、ダウンロードキュー監視手段９０はどこに設けられていても構わない。
【０１０３】
ＯＬＴ２Ｆによれば、ダウンロードキュー２３のフレーム蓄積量からＯＡＭの利用の輻輳状態を推測することができ、そのような輻輳状態であってもダウンロード用ＯＡＭフレームを優先的に出力することができる。このため、ファームウェア５０の配信遅延を回避することができる。
【０１０４】
増設ＯＮＵ３宛のダウンロード用ＯＡＭフレームは集中的にダウンロード手段２０から出力されることに鑑みれば、特に増設ＯＮＵ３用のダウンロードキュー２３を監視対象とすることは、ＯＡＭ輻輳の推測に有用である。
【０１０５】
ここで、図１２に例示するＯＬＴ２Ｇのようにダウンロードキュー監視手段９０は、ＯＡＭ利用手段６１，６２だけでなく、ダウンロード手段２０Ｆにも中断指示Ｓ９０を出してもよい。この場合、ダウンロード手段２０Ｆが（より具体的には既存ＯＮＵ３に対応するダウンロードフレーム生成手段２１が）当該中断指示Ｓ９０に従って既存ＯＮＵ３のダウンロード用ＯＡＭフレームの出力を中断することにより、既存ＯＮＵ３宛のダウンロード用ＯＡＭフレームがＯＡＭキュー３０へ入力されるのが抑制される。
【０１０６】
ＯＬＴ２Ｇによれば、他目的用ＯＡＭフレームだけでなく、既存ＯＮＵ３宛のダウンロード用ＯＡＭフレームも抑制されるので、特に増設ＯＮＵ３宛のダウンロードを優先させることができる。換言すれば、上記ＯＬＴ２Ｆによれば、増設ＯＮＵであるか否かに関係なく、ダウンロードを他のＯＡＭ利用よりも優先させることができる。
【０１０７】
＜実施の形態３の変形例＞
上記ではダウンロードキュー監視手段９０がＯＡＭ利用手段６１，６２（さらにはダウンロード手段２０Ｆ）へ直接、中断指示Ｓ９０を出す場合を例示した。これに対し、図１３に例示するＯＬＴ２Ｈのように中断指示Ｓ９０を、ＯＡＭ多重化手段７０Ｄを経由させて、ＯＡＭ利用手段６１，６２およびダウンロード手段２０Ｆへ出してもよい。
【０１０８】
また、上記ではＯＡＭ利用手段６１，６２（さらにはダウンロード手段２０Ｆ）からの出力を中断することによって、ＯＡＭキュー３０への入力を抑制する場合を例示した。これに対し、図１４に例示するＯＬＴ２Ｉのように中断指示Ｓ９０をＯＡＭ多重化手段７０へ与え、ＯＡＭ多重化手段７０の動作によってＯＡＭキュー３０への入力を抑制することも可能である。
【０１０９】
具体的には、ダウンロード手段２０ＦおよびＯＡＭ利用手段６１，６２はＯＡＭフレームを継続的に出力し、ＯＡＭ多重化手段７０が中断指示Ｓ９０に従って他目的用ＯＡＭフレームの出力と、既存ＯＮＵ３宛のダウンロード用ＯＡＭフレームとの出力を中断する。これにより、増設ＯＮＵ３宛のダウンロード用ＯＡＭフレームが優先的にＯＡＭ多重化手段７０からＯＡＭキュー３０へ出力される。
【０１１０】
なお、ダウンロードキュー監視手段９０は、管理テーブル４０を参照することによって増設ＯＮＵ３を判別することが可能であるので、例えば、どのダウンロード用ＯＡＭフレームが増設ＯＮＵ３宛であるのか（あるいは既存ＯＮＵ３宛であるのか）に関する情報（例えばＬＬＩＤ（図４参照））を、中断指示Ｓ９０に含めてもよい。これによれば、ＯＡＭ多重化手段７０は、受け取った中断指示Ｓ９０に基づいて、増設ＯＮＵ３宛のダウンロード用ＯＡＭフレームと、既存ＯＮＵ３宛のダウンロード用ＯＡＭフレームとを区別することが可能である（既述した多重化の第３例を参照）。
【０１１１】
あるいは、ＯＡＭ多重化手段７０が管理テーブル４０を直接、参照することによって、増設ＯＮＵ３宛のダウンロード用ＯＡＭフレームと、既存ＯＮＵ３宛のダウンロード用ＯＡＭフレームとを区別してもよい（既述した多重化の第３例を参照）。
【０１１２】
ここで、ＯＡＭ多重化手段７０を、ダウンロード用ＯＡＭフレームについては増設ＯＮＵ３宛であるか、既存ＯＮＵ３宛であるかを区別せずに、ＯＡＭキュー３０へ出力する構成に変形することも可能である。この場合、例えば、上記ダウンロード手段２０Ｆの代わりに、増設ＯＮＵ３宛の優先出力を行わないダウンロード手段を採用することも可能である。
【０１１３】
また、ＯＬＴ２Ｆ〜２Ｉにおいて、ダウンロード手段２０Ｆからダウンロード多重化手段２２を削除することも可能である。この場合、ダウンロード用ＯＡＭフレームは各ダウンロードフレーム生成手段２１からＯＡＭ多重化手段７０，７０Ｄへ直接、入力される。
【０１１４】
また、変形例に係るＯＬＴ２Ｈ，２Ｉを、図１１のＯＬＴ２Ｆと同様にダウンロード手段２０Ｆには中断指示Ｓ９０を出さない構成に変形することも可能である。
【０１１５】
また、上記では増設ＯＮＵ３に対応するダウンロードキュー２３のフレーム蓄積量を監視対象にする場合を例示した。これに対し、増設ＯＮＵ３用であるか否かに関係なく少なくとも１つのダウンロードキュー２３のフレーム蓄積量がダウンロードキューしきい値を超えた場合に中断指示Ｓ９０を出すように、ダウンロードキュー監視手段９０を変形することも可能である。
【０１１６】
また、ダウンロードキュー監視手段９０は、実施の形態２に係るＯＬＴ２Ｂ〜２Ｆと組み合わせることも可能である。
【０１１７】
これらの変形例によっても上記の各種効果を得ることができる。
【０１１８】
本発明は詳細に説明されたが、上記した説明は、すべての局面において、例示であって、本発明がそれに限定されるものではない。例示されていない無数の変形例が、本発明の範囲から外れることなく想定され得るものと解される。
【符号の説明】
【０１１９】
１  ＰＯＮシステム、２，２Ｂ〜２Ｉ  局側装置（ＯＬＴ）、３  加入者側装置（ＯＮＵ）、４  光スプリッタ、５，６  光ファイバ、１０  フレーム、２０，２０Ｆ  ダウンロード手段、２１  ダウンロードフレーム生成手段、２２  ダウンロード多重化手段、２３  ダウンロードキュー、３０  ＯＡＭキュー、４０  管理テーブル（情報管理手段）、５０  ファームウェア（ソフトウェア）、６１，６２  ＯＡＭ利用手段、７０  ＯＡＭ多重化手段、８０  ＯＡＭキュー監視手段、９０  ダウンロードキュー監視手段、Ｓ８０，Ｓ９０  中断指示。
【図１】
2012195635.tif 000003
【図２】
2012195635.tif 000004
【図３】
2012195635.tif 000005
【図４】
2012195635.tif 000006
【図５】
2012195635.tif 000007
【図６】
2012195635.tif 000008
【図７】
2012195635.tif 000009
【図８】
2012195635.tif 000010
【図９】
2012195635.tif 000011
【図１０】
2012195635.tif 000012
【図１１】
2012195635.tif 000013
【図１２】
2012195635.tif 000014
【図１３】
2012195635.tif 000015
【図１４】
2012195635.tif 000016